【手続補正書】
【提出日】平成16年5月13日(2004.5.13)
【手続補正１】
【補正対象書類名】明細書
【補正対象項目名】特許請求の範囲
【補正方法】変更
【補正の内容】
【特許請求の範囲】
【請求項１】
ネットワークに対してメッセージを送受信する通信部と、ＩＰｖ４（Internet Protocol version 4）に従った処理を行うＩＰｖ４処理部と、ＩＰｖ６（Internet Protocol version 6）に従った処理を行うＩＰｖ６処理部とを有し、ＩＰｖ４及びＩＰｖ６を用いてネットワークに接続された他の装置と通信を行う移動装置において、
少なくともＩＰｖ６を用いて通信が行われる第１のネットワークから、ＩＰｖ４を用いて通信が行われる第２のネットワークに移動した場合、第２のネットワークに接続された第１の移動支援装置から第１のＩＰｖ４メッセージを前記通信部を介して受信し、前記第１のＩＰｖ４メッセージに含まれる情報により第１のネットワークから第２のネットワークに移動したことを検出する移動検出部と、第２のネットワークにおいて使用するＩＰｖ４アドレスを取得し、第１のネットワークに接続された第２の移動支援装置に対し、前記ＩＰｖ４アドレスの登録を要求するためのＩＰｖ６メッセージを作成し、前記ＩＰｖ６メッセージをＩＰｖ４メッセージでカプセル化することにより第２のＩＰｖ４メッセージを作成し、前記第２のＩＰｖ４メッセージを前記通信部を介して送信する移動登録部とを有することを特徴とする移動装置。
【請求項２】
請求項１記載の移動装置において、
前記ＩＰｖ６メッセージは、前記移動装置のＩＰｖ６アドレスと、前記ＩＰｖ４アドレスを含むことを特徴とする移動装置。
【請求項３】
請求項１記載の移動装置において、
前記移動登録部は、宛先アドレスとして前記第２の移動支援装置の第２のＩＰｖ４アドレスを含み、送信元アドレスとして前記ＩＰｖ４アドレスを含むＩＰｖ４ヘッダを、前記ＩＰｖ６メッセージに付加して前記第２のＩＰｖ４メッセージを作成することを特徴とする移動装置。
【請求項４】
請求項１記載の移動装置において、
前記移動登録部は、前記第２の移動支援装置から、前記ＩＰｖ４アドレスを登録したことを通知するための第２のＩＰｖ６メッセージがＩＰｖ４メッセージでカプセル化され、宛先アドレスとして前記ＩＰｖ４アドレスを含む第３のＩＰｖ４メッセージを前記通信部を介して受信することを特徴とする移動装置。
【請求項５】
請求項４記載の移動装置において、
前記第３のＩＰｖ４メッセージは、前記第２のＩＰｖ６メッセージに、宛先アドレスとして前記ＩＰｖ４アドレスを含み、送信元アドレスとして前記第２の移動支援装置の前記第２のＩＰｖ４アドレスを含むＩＰｖ４ヘッダが付加されたメッセージであることを特徴とする移動装置。
【請求項６】
請求項４記載の移動装置において、
前記移動登録部は、受信した前記第３のＩＰｖ４メッセージをデカプセル化して前記第２のＩＰｖ６メッセージにすることを特徴とする移動装置。
【請求項７】
請求項１記載の移動装置において、
第２のネットワークから第１のネットワークに戻った場合、前記移動検出部は、前記第２の移動支援装置から第２のＩＰｖ６メッセージを前記通信部を介して受信し、前記第２のＩＰｖ６メッセージに含まれる情報により第１のネットワークに移動したことを検出し、前記移動登録部は、前記第２の移動支援装置に対し、前記移動装置のＩＰｖ６アドレスの登録を要求するための第３のＩＰｖ６メッセージを作成し、前記第３のＩＰｖ６メッセージを前記通信部を介して送信することを特徴とする移動装置。
【請求項８】
請求項１記載の移動装置において、
前記移動検出部は、第２のネットワークにおいて、前記第１の移動支援装置に対し前記第１のＩＰｖ４メッセージの送信を要求するための第３のＩＰｖ４メッセージを前記通信部を介して送信し、前記第３のＩＰｖ４メッセージに応答して前記第１の移動支援装置から送信された前記第１のＩＰｖ４メッセージを前記通信部を介して受信することを特徴とする移動装置。
【請求項９】
ネットワークに対してメッセージを送受信する通信部と、ＩＰｖ４（Internet Protocol version 4）に従った処理を行うＩＰｖ４処理部と、ＩＰｖ６（Internet Protocol version 6）に従った処理を行うＩＰｖ６処理部とを有し、ＩＰｖ４及びＩＰｖ６を用いてネットワークに接続された他の装置と通信を行う移動装置において、
少なくともＩＰｖ６を用いて通信が行われる第１のネットワークから第２のネットワークに移動した場合、第２のネットワークに接続された第１の移動支援装置からメッセージを前記通信部を介して受信し、前記メッセージに含まれる情報により第１のネットワークから第２のネットワークに移動したことを検出する移動検出部と、第２のネットワークにおいて使用するＩＰアドレスを取得し、第１のネットワークに接続され、前記移動装置の移動情報を保持する第２の移動支援装置に対して前記ＩＰアドレスの登録を要求するＩＰｖ６メッセージを作成し、第２のネットワークがＩＰｖ４を用いて通信が行われるネットワークである場合、前記ＩＰｖ６メッセージを、宛先アドレスとして前記第２の移動支援装置のＩＰｖ４アドレスを含むＩＰｖ４メッセージでカプセル化し、前記ＩＰｖ４メッセージを前記通信部を介して送信する移動登録部とを有することを特徴とする移動装置。
【請求項１０】
請求項９記載の移動装置において、
第２のネットワークが少なくともＩＰｖ６を用いて通信が行われるネットワークである場合、前記移動登録部は、前記ＩＰｖ６メッセージを前記通信部を介して送信することを特徴とする移動装置。
【請求項１１】
ネットワークに対してメッセージを送受信する通信部と、第１種のインターネットプロトコルに従った処理を行う第１の処理部と、第２種のインターネットプロトコルに従った処理を行う第２の処理部とを有し、第１種のインターネットプロトコル及び第２種のインターネットプロトコルを用いてネットワークに接続された他の装置と通信を行う移動装置において、
少なくとも第１種のインターネットプロトコルを用いて通信が行われる第１のネットワークから、第２種のインターネットプロトコルを用いて通信が行われる第２のネットワークに移動した場合、第２のネットワークに接続された第１の移動支援装置から、第２種のインターネットプロトコルに従った第１のメッセージを前記通信部を介して受信し、前記第１のメッセージに含まれる情報により第１のネットワークから第２のネットワークに移動したことを検出する移動検出部と、第２種のインターネットプロトコルに従ったＩＰアドレスであって、第２のネットワークにおいて使用する第１のＩＰアドレスを取得し、第１種のインターネットプロトコルに従ったメッセージであって、第１のネットワークに接続された第２の移動支援装置に対し前記第１のＩＰアドレスの登録を要求するための第２のメッセージを作成し、前記第２のメッセージを第２種のインターネットプロトコルに従ったメッセージでカプセル化することにより第３のメッセージを作成し、前記第３のメッセージを前記通信部を介して送信する移動登録部とを有することを特徴とする移動装置。
【請求項１２】
請求項１１記載の移動装置において、
前記第２のメッセージは、前記移動装置のアドレスであって第１種のインターネットプロトコルに従った第２のＩＰアドレスと前記第１のＩＰアドレスを含むことを特徴とする移動装置。
【請求項１３】
請求項１１記載の移動装置において、
前記移動登録部は、第２種のインターネットプロトコルに従ったヘッダ情報であって、前記第２の移動支援装置のアドレスであって第２種のインターネットプロトコルに従った第２のＩＰアドレスを宛先アドレスとして含み、前記第１のＩＰアドレスを送信元アドレスとして含むヘッダ情報を、前記第２のメッセージに付加することにより前記第３のメッセージを作成することを特徴とする移動装置。
【請求項１４】
請求項１１記載の移動装置において、
前記移動登録部は、前記第３のメッセージに応じて前記第２の移動支援装置から送信されたメッセージであって、第１種のインターネットプロトコルに従った応答メッセージが第２種のインターネットプロトコルに従ったメッセージでカプセル化され、前記第１のＩＰアドレスを宛先アドレスとして含む第４のメッセージを前記通信部を介して受信することを特徴とする移動装置。
【請求項１５】
請求項１４記載の移動装置において、
前記第４のメッセージは、前記応答メッセージに、第２種のインターネットプロトコルに従ったヘッダ情報であって、宛先アドレスとして前記第１のＩＰアドレスを含み、送信元アドレスとして前記第２の移動支援装置のアドレスであって第２種のインターネットプロトコルに従った第２のＩＰアドレスを含むヘッダ情報が付加されたメッセージであることを特徴とする移動装置。
【請求項１６】
請求項１４記載の移動装置において、
前記移動登録部は、受信した前記第４のメッセージを前記応答メッセージにデカプセル化することを特徴とする移動装置。
【請求項１７】
請求項１１記載の移動装置において、
第２のネットワークから第１のネットワークに戻った場合、前記移動検出部は、前記第２の移動支援装置から、第１種のインターネットプロトコルに従った第４のメッセージを前記通信部を介して受信し、前記第４のメッセージに含まれる情報により第１のネットワークに移動したことを検出し、前記移動登録部は、前記第２の移動支援装置に対し、第１種のインターネットプロトコルに従ったメッセージであって、前記移動装置のアドレスであって第１種のインターネットプロトコルに従った第２のＩＰアドレスの登録を要求するための第５のメッセージを作成し、前記第５のメッセージを前記通信部を介して送信することを特徴とする移動装置。
【請求項１８】
ネットワークに対してメッセージを送受信する通信部と、第１種のインターネットプロトコルに従った処理を行う第１の処理部と、第２種のインターネットプロトコルに従った処理を行う第２の処理部とを有し、第１種のインターネットプロトコル及び第２種のインターネットプロトコルを用いてネットワークに接続された他の装置と通信を行う移動装置において、
少なくとも第１種のインターネットプロトコルを用いて通信が行われる第１のネットワークから第２のネットワークに移動した場合、第２のネットワークに接続された第１の移動支援装置から第１のメッセージを受信し、前記第１のメッセージに含まれる情報により第１のネットワークから第２のネットワークに移動したことを検出する移動検出部と、第２のネットワークにおいて使用する第１のＩＰアドレスを取得し、第１のネットワークに接続された第２の移動支援装置に対して前記第１のＩＰアドレスの登録を要求するメッセージであって、第１種のインターネットプロトコルに従った第２のメッセージを作成し、第２のネットワークが第２種のインターネットプロトコルを用いて通信が行われるネットワークである場合、前記第２のメッセージを第２種のインターネットプロトコルに従ったメッセージでカプセル化することにより第３のメッセージを作成し、前記第３のメッセージを前記通信部を介して送信する移動登録部とを有することを特徴とする移動装置。
【請求項１９】
請求項１８記載の移動装置において、
前記移動登録部は、第２のネットワークが少なくとも第１種のインターネットプロトコルを用いて通信が行われるネットワークである場合、前記第２のメッセージを前記通信部を介して送信することを特徴とする移動装置。
【請求項２０】
ネットワーク間を移動し、ＩＰｖ４（Internet Protocol version 4）及びＩＰｖ６（Internet Protocol version 6）を用いてネットワークに接続された他の装置と通信を行う移動装置における通信方法において、
少なくともＩＰｖ６を用いて通信が行われる第１のネットワークから、ＩＰｖ４を用いて通信が行われる第２のネットワークに移動した場合、第２のネットワークに接続された第１の移動支援装置から第１のＩＰｖ４メッセージを受信し、前記第１のＩＰｖ４メッセージに含まれる情報により第１のネットワークから第２のネットワークに移動したことを検出し、第２のネットワークにおいて使用するＩＰｖ４アドレスを取得し、第１のネットワークに接続された第２の移動支援装置に対し、前記ＩＰｖ４アドレスの登録を要求するためのＩＰｖ６メッセージを作成し、前記ＩＰｖ６メッセージをＩＰｖ４メッセージでカプセル化することにより第２のＩＰｖ４メッセージを作成し、前記第２のＩＰｖ４メッセージを送信することを特徴とする通信方法。
【請求項２１】
請求項２０記載の通信方法において、
前記第２のＩＰｖ４メッセージの作成は、宛先アドレスとして前記第２の移動支援装置の第２のＩＰｖ４アドレスを含み、送信元アドレスとして前記ＩＰｖ４アドレスを含むＩＰｖ４ヘッダを、前記ＩＰｖ６メッセージに付加して前記第２のＩＰｖ４メッセージを作成することを特徴とする通信方法。
【請求項２２】
請求項２０記載の通信方法において、
前記第２の移動支援装置から、前記ＩＰｖ４アドレスを登録したことを通知するための第２のＩＰｖ６メッセージがＩＰｖ４メッセージでカプセル化され、宛先アドレスとして前記ＩＰｖ４アドレスを含む第３のＩＰｖ４メッセージを受信することを特徴とする通信方法。
【請求項２３】
請求項２０記載の通信方法において、
第２のネットワークから第１のネットワークに戻った場合、前記第２の移動支援装置から第２のＩＰｖ６メッセージを受信し、前記第２のＩＰｖ６メッセージに含まれる情報により第１のネットワークに移動したことを検出し、前記第２の移動支援装置に対し、前記移動装置のＩＰｖ６アドレスの登録を要求するための第３のＩＰｖ６メッセージを作成し、前記第３のＩＰｖ６メッセージを送信することを特徴とする通信方法。
【請求項２４】
請求項２０記載の通信方法において、
第２のネットワークにおいて、前記第１の移動支援装置に対し前記第１のＩＰｖ４メッセージの送信を要求するための第３のＩＰｖ４メッセージを送信し、前記第３のＩＰｖ４メッセージに応答して前記第１の移動支援装置から送信された前記第１のＩＰｖ４メッセージを受信することを特徴とする通信方法。
【請求項２５】
ネットワーク間を移動することが可能であり、ＩＰｖ４（Internet Protocol version 4）及びＩＰｖ６（Internet Protocol version 6）を用いてネットワークに接続された他の装置と通信を行う移動装置におけるアドレス登録方法において、
少なくともＩＰｖ６を用いて通信が行われる第１のネットワークから第２のネットワークに移動した場合、第２のネットワークに接続された第１の移動支援装置からメッセージを受信し、前記メッセージに含まれる情報により第１のネットワークから第２のネットワークに移動したことを検出し、第２のネットワークにおいて使用するＩＰアドレスを取得し、第１のネットワークに接続され、前記移動装置の移動情報を保持する第２の移動支援装置に対して前記ＩＰアドレスの登録を要求するＩＰｖ６メッセージを作成し、第２のネットワークがＩＰｖ４を用いて通信が行われるネットワークである場合、前記ＩＰｖ６メッセージを、宛先アドレスとして前記第２の移動支援装置のＩＰｖ４アドレスを含むＩＰｖ４メッセージでカプセル化し、前記ＩＰｖ４メッセージを送信することを特徴とするアドレス登録方法。
【請求項２６】
請求項２５記載のアドレス登録方法において、
前記第２の移動支援装置から、前記ＩＰアドレスを登録したことを通知するための第２のＩＰｖ６メッセージが、宛先アドレスとして前記ＩＰアドレスを含むＩＰｖ４メッセージでカプセル化された第２のメッセージを受信し、前記第２のメッセージをデカプセル化して前記第２のＩＰｖ６メッセージを抽出することを特徴とするアドレス登録方法。
【請求項２７】
請求項２５記載のアドレス登録方法において、
第２のネットワークが少なくともＩＰｖ６を用いて通信が行われるネットワークである場合、前記ＩＰｖ６メッセージを送信することを特徴とするアドレス登録方法。
【請求項２８】
ネットワーク間を移動し、第１種のインターネットプロトコル及び第２種のインターネットプロトコルを用いてネットワークに接続された他の装置と通信を行う移動装置における通信方法において、
少なくとも第１種のインターネットプロトコルを用いて通信が行われる第１のネットワークから、第２種のインターネットプロトコルを用いて通信が行われる第２のネットワークに移動した場合、第２のネットワークに接続された第１の移動支援装置から、第２種のインターネットプロトコルに従った第１のメッセージを受信し、前記第１のメッセージに含まれる情報により第１のネットワークから第２のネットワークに移動したことを検出し、第２種のインターネットプロトコルに従ったＩＰアドレスであって、第２のネットワークにおいて使用する第１のＩＰアドレスを取得し、第１種のインターネットプロトコルに従ったメッセージであって、第１のネットワークに接続された第２の移動支援装置に対し前記第１のＩＰアドレスの登録を要求するための第２のメッセージを作成し、前記第２のメッセージを第２種のインターネットプロトコルに従ったメッセージでカプセル化することにより第３のメッセージを作成し、前記第３のメッセージを送信することを特徴とする通信方法。
【請求項２９】
請求項２８記載の通信方法において、
前記カプセル化は、第２種のインターネットプロトコルに従ったヘッダ情報であって、前記第２の移動支援装置のアドレスであって第２種のインターネットプロトコルに従った第２のＩＰアドレスを宛先アドレスとして含み、前記第１のＩＰアドレスを送信元アドレスとして含むヘッダ情報を、前記第２のメッセージに付加することを特徴とする通信方法。
【請求項３０】
請求項２８記載の通信方法において、
前記第３のメッセージに応じて前記第２の移動支援装置から送信されたメッセージであって、第１種のインターネットプロトコルに従った応答メッセージが第２種のインターネットプロトコルに従ったメッセージでカプセル化され、前記第１のＩＰアドレスを宛先アドレスとして含む第４のメッセージを受信することを特徴とする通信方法。
【請求項３１】
請求項２８記載の通信方法において、
第２のネットワークから第１のネットワークに戻った場合、前記第２の移動支援装置から、第１種のインターネットプロトコルに従った第４のメッセージを受信し、前記第４のメッセージに含まれる情報により第１のネットワークに移動したことを検出し、前記第２の移動支援装置に対し、第１種のインターネットプロトコルに従ったメッセージであって、前記移動装置のアドレスであって第１種のインターネットプロトコルに従った第２のＩＰアドレスの登録を要求するための第５のメッセージを作成し、前記第５のメッセージを送信することを特徴とする通信方法。
【請求項３２】
ネットワーク間を移動可能であり、第１種のインターネットプロトコル及び第２種のインターネットプロトコルを用いてネットワークに接続された他の装置と通信を行う移動装置におけるアドレス登録方法において、
少なくとも第１種のインターネットプロトコルを用いて通信が行われる第１のネットワークから第２のネットワークに移動した場合、第２のネットワークに接続された第１の移動支援装置から第１のメッセージを受信し、前記第１のメッセージに含まれる情報により第１のネットワークから第２のネットワークに移動したことを検出し、第２のネットワークにおいて使用する第１のＩＰアドレスを取得し、第１のネットワークに接続された第２の移動支援装置に対して前記第１のＩＰアドレスの登録を要求するメッセージであって、第１種のインターネットプロトコルに従った第２のメッセージを作成し、第２のネットワークが第２種のインターネットプロトコルを用いて通信が行われるネットワークである場合、前記第２のメッセージを第２種のインターネットプロトコルに従ったメッセージでカプセル化することにより第３のメッセージを作成し、前記第３のメッセージを送信することを特徴とするアドレス登録方法。
【請求項３３】
請求項３２記載のアドレス登録方法において、
第２のネットワークが少なくとも第１種のインターネットプロトコルを用いて通信が行われるネットワークである場合、前記第２のメッセージを送信することを特徴とするアドレス登録方法。